(57)【要約】【課題】携帯端末を用いて行う滞納金の訪問徴収作業における金銭事故を防止し、不正な操作等を早期に発見することが可能になるとともに、メモリカード紛失による個人情報や入金データの外部流出を防止すること。【解決手段】納税データ管理サーバ１１０から通信回線１００を介して滞納データをダウンロードして携帯端末１２０の本体メモリ及び着脱可能なメモリカードに暗号化して記憶しておき、該記憶される滞納データに対応して徴収した金額を入金データとして入力し、前記本体メモリ及び前記メモリカードに暗号化して格納するとともに、前記入金データの入力操作，変更操作，削除操作，領収書印刷操作を検知し、該操作履歴を暗号化して前記本体メモリ及び／又は前記メモリカードに格納する構成を特徴とする。【選択図】          図１
2005050038.tif 000002
【特許請求の範囲】
【請求項１】
第１のデータを記憶する第１の記憶手段と、
前記第１のデータに対応する第２のデータを入力する入力手段と、
前記入力手段により入力された第２のデータを記憶する第２の記憶手段と、
前記入力手段による第２のデータの入力操作，変更操作，削除操作を検知し、該操作履歴を暗号化して第３の記憶手段に記憶制御する第１の制御手段と、を有することを特徴とする携帯端末。
【請求項２】
前記第１のデータは、徴収すべき金額に関する第１の金額データであり、
前記第２のデータは、前記第１の金額データに対して入金された入金金額を示す第２の金額データであることを特徴とする請求項１記載の携帯端末。
【請求項３】
前記第２の金額データに対応する領収書を印刷する印刷手段を設け、
前記第１の制御手段は、前記入力手段による第２の金額データの入力操作，変更操作，削除操作の操作履歴と、前記印刷手段による領収書の印刷履歴とを暗号化して前記第３の記憶手段に記憶制御することを特徴とする請求項２記載の携帯端末。
【請求項４】
前記第１の金額データに基づく金額を表示する表示手段と、
前記入力手段により入力された第２の金額データが、対応する第１の金額データに基づく金額の一部であった場合には、前記表示手段に表示される対応する前記第１の金額データの表示形態を変更制御する第２の制御手段と、を設けたことを特徴とする請求項２又は３記載の携帯端末。
【請求項５】
前記第１の記憶手段及び前記第２の記憶手段は、着脱可能なメモリを含む複数のメモリにより構成され、
前記第１のデータ及び／又は第２のデータは、それぞれ前記着脱可能なメモリを含む複数のメモリに記憶され、少なくとも前記着脱可能なメモリでは暗号化されて記憶されることを特徴とする請求項１〜４のいずれかに記載の携帯端末。
【請求項６】
前記第１のデータを管理するサーバ装置と所定の通信媒体を介して通信する通信手段と、
前記通信手段を用いて前記第１のデータを前記サーバ装置からダウンロードし、また前記第２のデータをサーバ装置にアップロードする第３の制御手段と、
を設けたことを特徴とする請求項１〜５のいずれかに記載の携帯端末。
【請求項７】
前記第３の制御手段は、前記第２の記憶手段に複数記憶される前記第２のデータを一括して前記サーバ装置にアップロードすることを特徴とする請求項６記載の携帯端末。
【請求項８】
前記第３の制御手段は、前記入力手段により入力され前記第２の記憶手段に第２のデータが記憶される毎に、前記サーバ装置にリアルタイムでアップロードすることを特徴とする請求項６記載の携帯端末。
【請求項９】
第１の記憶手段に記憶される第１のデータに対応する第２のデータを入力し第２の記憶手段に格納する入力工程と、
前記入力工程による前記第２のデータの入力操作，変更操作，削除操作を検知し、該操作履歴を暗号化して第３の記憶手段に格納する操作履歴格納工程と、
を有することを特徴とする携帯端末の入力データ管理方法。
【請求項１０】
請求項９に記載された携帯端末の入力データ管理方法を実行するためのプログラム。
【請求項１１】
請求項９に記載された携帯端末の入力データ管理方法を実行するためのプログラムをコンピュータが読み取り可能に記憶した記録媒体。
【発明の詳細な説明】
【０００１】
【発明の属する技術分野】
本発明は、サーバ装置よりダウンロードした第１のデータに対応する第２のデータを入力処理して前記サーバ装置にアップロードする携帯端末の制御に関するものであり、特に納税データ管理サーバよりダウンロードした未納税者に関する滞納データに対応して徴収員が訪問徴収した入金金額を入力し、該入金金額データを前記納税データ管理サーバにアップロードする携帯端末及び携帯端末の入力データ管理方法およびプログラムおよび記録媒体に関するものである。
【０００２】
【従来の技術】
従来より、管理サーバにより生成されたデータを携帯端末に入力し、該携帯端末を用いて前記データに対するデータ入力を出先で行うシステムがあった。
【０００３】
例えば、特開平９−２９３０９８号公報（特許文献１）には、未納税者の未納データを携帯端末に着脱可能なメモリカードに記憶し、訪問徴収にかかる延滞金算出、未納データ修正、領収書作成、催告書、日計表を作成する訪問徴税システムと訪問徴税用携帯端末が開示されている。
【０００４】
【特許文献１】特開平９−２９３０９８号公報
【０００５】
【発明が解決しようとする課題】
しかしながら、上記特許文献１に記載される従来技術によれば、携帯端末上で入力したデータの変更（例えば、金額訂正，削除）や領収書作成等の所定の操作を複数回行った場合でも、操作履歴が残らないため、訪問徴収の際の金銭授受に関連して事故が発生する危険性があるという問題点があった。
【０００６】
また、特許文献１に記載される従来技術では、未納データ等の個人情報をメモリカードに記憶する構成となっており、メモリカードは容易に着脱できるため、メモリカードを紛失した場合に、個人の未納データが外部に流出する恐れがあるという問題点があった。
【０００７】
さらに、携帯端末自体を紛失することにより、個人の未納データが外部に流出する恐れがあるという問題点もあった。
【０００８】
本発明は、上記の問題点を解決するためになされたもので、本発明の目的は、滞納のデータを管理するサーバ装置から所定の通信媒体を介して前記滞納データを携帯端末にダウンロードして携帯端末の本体メモリ及び着脱可能なメモリカードに暗号化して記憶しておき、該記憶される滞納データに対応して徴収した入金金額を入金データとして入力し、前記本体メモリ及び前記メモリカードに暗号化して格納し、前記入金データの入力操作，変更操作，削除操作，領収書印刷操作を検知し、該操作履歴を暗号化して前記本体メモリ及び／又は前記メモリカードに格納することにより、携帯端末を用いて行う滞納金の訪問徴収作業における金銭事故を防止し、不正な操作等を早期に発見することが可能になるとともに、メモリカード紛失による個人情報や入金データの外部流出を防止することができる携帯端末および携帯端末の入力データ管理方法およびプログラムおよび記録媒体を提供することである。
【０００９】
【課題を解決するための手段】
本発明の第１の発明は、第１のデータを記憶する第１の記憶手段（図１に示す滞納者データ１記憶部１２５（図３に示すＳＲＡＭ３８），滞納者データ２記憶部１２６（図３に示すメモリカード３９））と、前記第１のデータに対応する第２のデータを入力する入力手段（図１２〜図１４に示す画面）と、前記入力手段により入力された第２のデータを記憶する第２の記憶手段（図１に示す入金データ１記憶部１２７（図３に示すＳＲＡＭ３８），入金データ２記憶部１２８（図３に示すメモリカード３９））と、前記入力手段による第２のデータの入力操作，変更操作，削除操作を検知し、該操作履歴を暗号化して第３の記憶手段に記憶制御する第１の制御手段（図３に示すＣＰＵ３１，図５（図２３）のステップＳ５０２）とを有することを特徴とする。
【００１０】
本発明の第２の発明は、前記第１のデータは、徴収すべき金額に関する第１の金額データ（滞納データ）であり、前記第２のデータは、前記第１の金額データに対して入金された入金金額を示す第２の金額データ（入金データ）であることを特徴とする。
【００１１】
本発明の第３の発明は、前記第２の金額データに対応する領収書を印刷する印刷手段（図１に示す印刷処理部１２４，図３に示す印刷部３７）を設け、前記第１の制御手段は、前記入力手段による第２の金額データの入力操作，変更操作，削除操作の操作履歴と、前記印刷手段による領収書の印刷履歴とを暗号化して前記第３の記憶手段（図３に示すＳＲＡＭ３８，メモリカード３９）に記憶制御することを特徴とする。
【００１２】
本発明の第４の発明は、前記第１の金額データに基づく金額を表示する表示手段（図１３に示す画面）と、前記入力手段により入力された第２の金額データが、対応する第１の金額データに基づく金額の一部であった場合には、前記表示手段に表示される対応する前記第１の金額データの表示形態を（図１５に示すように）変更制御する第２の制御手段（図３のＣＰＵ３１）とを設けたことを特徴とする。
【００１３】
本発明の第５の発明は、前記第１の記憶手段及び前記第２の記憶手段は、着脱可能なメモリ（図３に示すメモリカード３９）を含む複数のメモリ（図３に示すＳＲＡＭ３８，メモリカード３９）により構成され、前記第１のデータ及び／又は第２のデータは、それぞれ前記着脱可能なメモリを含む複数のメモリに記憶され、少なくとも前記着脱可能なメモリでは暗号化されて記憶されることを特徴とする。
【００１４】
本発明の第６の発明は、前記第１のデータを管理するサーバ装置と所定の通信媒体を介して通信する通信手段（図３に示す通信部３４）と、前記通信手段を用いて前記第１のデータを前記サーバ装置からダウンロードし（図４のステップＳ４０８）、また前記第２のデータをサーバ装置にアップロード（図５のステップＳ５１８以降の図示しない工程，図２３のステップＳ６０１）する第３の制御手段と、を設けたことを特徴とする。
【００１５】
本発明の第７の発明は、前記第３の制御手段は、前記第２の記憶手段に複数記憶される前記第２のデータを一括して前記サーバ装置にアップロードする（図５のステップＳ５１８以降の図示しない工程）ことを特徴とする。
【００１６】
本発明の第８の発明は、前記第３の制御手段は、前記入力手段により入力され前記第２の記憶手段に第２のデータが記憶される毎に、前記サーバ装置にリアルタイムでアップロードする（図２３のステップＳ６０１）ことを特徴とする。
【００１７】
本発明の第９の発明は、第１の記憶手段に記憶される第１のデータに対応する第２のデータを入力し第２の記憶手段に格納する入力工程（図５（図２３）のステップＳ５０９，Ｓ５１０）と、前記入力工程による前記第２のデータの入力操作，変更操作，削除操作を検知し、該操作履歴を暗号化して第３の記憶手段に格納する操作履歴格納工程（図５（図２３）のステップＳ５０２）とを有することを特徴とする。
【００１８】
本発明の第１０の発明は、第９の発明のいずれかに記載された携帯端末の入力データ管理方法を実行するためのプログラムであることを特徴とする。
【００１９】
本発明の第１１の発明は、第の発明のいずれかに記載された携帯端末の入力データ管理方法を実行するためのプログラムを記録媒体にコンピュータが読み取り可能に記憶させたことを特徴とする。
【００２０】
【発明の実施の形態】
〔第１実施形態〕
図１は、本発明の第１実施形態を示す携帯端末を適用可能な情報入力システムの構成を示すシステム構成図である。
【００２１】
図において、１１０は納税データ管理サーバ、１２０は携帯端末であり、納税データ管理サーバ１１０と携帯端末１２０は所定の通信回線１００を介して通信可能である。
【００２２】
納税データ管理サーバ１１０において、１１３は徴収員テーブルで、少なくとも徴収員コード、担当地区コードが記憶されており、徴収員の氏名等も記憶されていてもよい。
【００２３】
１１４は滞納者ＤＢで、少なくとも整理番号、住基ＩＤ、地区コード、滞納税区分、滞納金額、訪問予定日、滞納者氏名と住所、電話番号が記憶されている。
なお、別のファイルに住基ＩＤと滞納者氏名と住所、電話番号を記憶させ、滞納者ＤＢ１１４には滞納者氏名と住所、電話番号を含まない構成としてもよい。また、滞納者ＤＢ１１４は、滞納金額を滞納税額と延滞金額の２つに分けて記憶している。さらに、滞納者ＤＢ１１４内の滞納税区分は、税種別コードと滞納年度（又は滞納年月）から構成される。また、滞納者ＤＢ１１４内の整理番号は、一意の数字となっている。
【００２４】
１１１は検索部で、携帯端末１２０からの指示により、地区コードや滞納金額、滞納税区分、氏名、電話番号、住所、住基（住民基本台帳）ＩＤ、訪問予定日、担当徴収員コード等の検索条件で滞納者ＤＢ１１４を検索する処理を行う。
【００２５】
データ抽出部１１２は、携帯端末１２０からの指示により、検索部１１１で検索され、抽出することが指示された案件のデータを滞納者ＤＢ１１４からファイルに抽出して、携帯端末１２０に送信する処理を行う。
【００２６】
携帯端末１２０において、１２５は滞納者データ１記憶部で、納税データ管理サーバ１１０からダウンロードした滞納者データを記憶するものであり、図３に示すＳＲＡＭ３８内に構成される。１２６は滞納者データ２記憶部で、納税データ管理サーバ１１０からダウンロードした滞納者データを記憶するものであり、図３に示す着脱式のメモリカード３９内に構成される。
【００２７】
１２７は入金データ１記憶部で、入金データを記憶するものであり、図３に示すＳＲＡＭ３８内に構成される。１２８は入金データ２記憶部で、入金データを記憶するものであり、図３に示すメモリカード３９内に構成される。
【００２８】
１２１は検索処理部で、滞納者データ１記憶部１２５を氏名、電話番号、住所、住基ＩＤ、訪問予定日等の条件で検索処理する。１２２は遅延金計算部で、滞納者データ１記憶部１２５に記憶されている個別の案件の遅延年月と税種別コードと滞納税額から最新の延滞金額を計算するものである。
【００２９】
１２３は入金処理部で、一部又は全部入金があった場合に、住基ＩＤと入金年月日と税種別コードと入金額を計算し、入金データ１記憶部１２７に記録するものである。１２４は印刷処理部で、入金があった場合の領収書や不在票を印刷するものである。
【００３０】
図２は、図１に示した納税データ管理サーバ１１０のハードウェア構成を示すブロック図である。
【００３１】
図に示すように、ＣＰＵ２１と、ＲＡＭ２２と、ＲＯＭ２３と、ネットワークアダプタ（ＬＡＮアダプタ）２４と、ビデオアダプタ２５と、キーボード２６と、マウス２７等のポインティングデバイスと、ハードディスク２８と、ＣＤ−ＲＯＭドライブ２９，ＤＶＤ−ＲＯＭドライブ等の記録媒体ドライブ（記録媒体ドライブ）とを備え、これらがシステムバス２０を介して互いに接続されている。
【００３２】
ＣＰＵ２１は、ＲＯＭ２３又はハードディスク２８にＣＤ−ＲＯＭドライブ２９に記憶保存されたプログラムを読み出して後述する各種制御処理を実行することにより、図１に示した検索部１１１，データ抽出部１１２を実現するものとする。ハードディスク２８は、図１に示した徴収員テーブル１１３，滞納者ＤＢ１１４等を記憶するものとする。ＲＡＭ２２は、ＣＰＵ２１が所定の処理を実行する際にデータ等を一時記憶させるためのメモリである。ネットワークアダプタ２４は、通信回線１００に接続するための通信インターフェースである。
【００３３】
図３は、図１に示した携帯端末１２０のハードウェア構成を示すブロック図である。
【００３４】
図に示すように、ＣＰＵ３１と、ＲＡＭ３２と、ＲＯＭ３３と、通信部３４と、液晶表示部（兼タッチパネル）３５と、押しボタン３６と、印刷部３７と、ＳＲＡＭ３８と、着脱式のメモリカード３９等の記録媒体ドライブ（記録媒体ドライブ）とを備え、これらがシステムバス３０を介して互いに接続されている。なお、ハードディスクを備える構成であってもよい。
【００３５】
ＣＰＵ３１は、ＲＯＭ３３又はＳＲＡＭ３８等に記憶保存されたプログラムを読み出して各種制御処理を実行することにより、図１に示した検索処理部１２１，遅延金計算部１２２，入金処理部１２３，印刷処理部１２４を実現するものとする。ＲＡＭ３２は、ＣＰＵ３１が所定の処理を実行する際にデータ等を一時記憶させるためのメモリである。通信部３４は、無線により通信回線１００に接続するための通信インターフェースである。
【００３６】
ＳＲＡＭ３８は、図１に示した滞納者データ１記憶部１２５，入金データ１記憶部１２７等を実現するものとする。メモリカード３９は、図１に示した滞納者データ２記憶部１２６，入金データ２記憶部１２８等を実現するものとする。
【００３７】
なお、メモリカード３９は、処理を終了する前に（処理の途中）で携帯端末１２０から取り外された場合には、メモリカード３９内の全データが削除されるように構成されている。
【００３８】
以下、図４を参照して、本発明の携帯端末を適用可能な情報入力システムにおける第１の制御処理手順について説明する。
【００３９】
図４は、本発明の携帯端末を適用可能な情報入力システムにおける第１の制御処理手順の一例を示すフローチャートであり、納税データ管理サーバ１１０から携帯端末１２０への滞納者データのダウンロード処理に対応する。なお、Ｓ４０１〜Ｓ４０９は携帯端末１２０側の処理に対応し、図３に示したＣＰＵ３１によりＲＯＭ３３，ＳＲＡＭ３８又はその他の記録媒体に格納されたプログラムに基づいて実行される。さらに、Ｓ４２１〜Ｓ４３３は納税データ管理サーバ１１０側の処理に対応し、図２に示したＣＰＵ２１によりハードディスク２８又はその他の記録媒体に格納されたプログラムに基づいて実行される。
【００４０】
まず、携帯端末１２０の図示しないログイン画面より入力されると、ステップＳ４０１において、携帯端末１２０は、ＩＤ，パスワードを携帯端末１２０から納税データ管理サーバ１１０に送信する。
【００４１】
そして、納税データ管理サーバ１１０では、ステップＳ４２１において、携帯端末１２０から送信されたＩＤ，パスワードを受信すると、ステップＳ４２２において、携帯端末１２０より受信したＩＤ，パスワードと、納税データ管理サーバ１１０内の図示しないパスワードファイル等に格納されるＩＤ，パスワードとを照合し、ステップＳ４２３において、照合一致するか否かを判定し、照合一致しないと判定された場合には、ステップＳ４２４に進み、エラーメッセージを携帯端末１２０に送信する。
【００４２】
そして、携帯端末１２０では、ステップＳ４０２において、納税データ管理サーバ１１０から送信されたエラーメッセージを受信すると、該エラーメッセージを表示し、操作者に対してＩＤ，パスワードの再入力を促し、ステップＳ４０１に戻る。
【００４３】
一方、納税データ管理サーバ１１０が、ステップＳ４２３で、携帯端末１２０より受信したＩＤ，パスワードと納税データ管理サーバ１１０内に格納されるＩＤ，パスワードとが照合一致すると判定された場合には、ステップＳ４２５に進み、携帯端末１２０に図示しない検索画面を送信する。
【００４４】
そして、携帯端末１２０では、ステップＳ４０３において、納税データ管理サーバ１１０から送信された検索画面を受信すると、該検索画面を表示し、操作者に対して検索条件の入力を促す。この検索画面は、地区コードや滞納金額、滞納年月、滞納税区分、徴収員等の検索条件を入力する条件入力欄と検索を開始するための「検索ボタン」を有するものである。
【００４５】
そして、上記検索画面で検索条件が入力され、検索ボタンが押下されると、携帯端末１２０は、ステップＳ４０４において、入力された検索条件を納税データ管理サーバ１１０に送信する。
【００４６】
そして、納税データ管理サーバ１１０は、ステップＳ４２６において、携帯端末１２０から送信された検索条件を受信すると、ステップＳ４２７において、検索部１１１が受信した検索条件により滞納者ＤＢ１１４を検索し、ステップＳ４２８において、該当データが有るか否かを判定し、該当データがないと判定された場合には、ステップＳ４２９に進み、エラー情報を携帯端末１２０に送信する。
【００４７】
そして、携帯端末１２０では、ステップＳ４０５において、納税データ管理サーバ１１０から送信されたエラー情報を受信すると、該エラー情報を表示し、ステップＳ４０３に戻り、検索画面を再表示し、操作者に対して検索条件の再入力を促す。
【００４８】
一方、納税データ管理サーバ１１０が、ステップＳ４２８で、携帯端末１２０より受信した検索条件に基づく検索結果における該当データが有ると判定された場合には、ステップＳ４３０に進み、該当データによる一覧情報を携帯端末１２０に送信する。
【００４９】
そして、携帯端末１２０では、ステップＳ４０６において、納税データ管理サーバ１１０から送信された一覧情報を受信すると、該受信した一覧情報を表示し、操作者に対して一覧情報からの選択入力を促す。
【００５０】
そして、一覧情報の一部又全件が選択され、「ダウンロード」のボタンが押下されると、携帯端末１２０は、ステップＳ４０７において、選択情報を納税データ管理サーバ１１０に送信する。
【００５１】
そして、納税データ管理サーバ１１０は、ステップＳ４３１において、携帯端末１２０から送信された選択情報を受信すると、ステップＳ４３２において、データ抽出部１１２が受信した選択情報に対応する滞納者の詳細情報（滞納者データ）を滞納者ＤＢ１１４から抽出し、ステップＳ４３３において、抽出した滞納者の詳細情報（滞納者データ）を携帯端末１２０に送信する。
【００５２】
そして、携帯端末１２０では、ステップＳ４０８において、納税データ管理サーバ１１０から送信された滞納者の詳細情報（滞納者データ）を受信すると、ステップＳ４０９において、該受信した滞納者の詳細情報を滞納者データ１記憶部１２５がＳＲＡＭ３８に記憶する（暗号化するように構成してもよい）とともに、滞納者データ２記憶部１２６によりメモリカード３９にコピーする（暗号化するように構成してもよい）ことにより、滞納者データを更新して、滞納者データのダウンロード処理を終了する。
【００５３】
以下、図５〜図２２を参照して、図１に示した携帯端末１２０による検索処理並びに入金処理及び領収書・不在票の印刷処理について説明する。
【００５４】
図５は、本発明の携帯端末を適用可能な情報入力システムにおける第２の制御処理手順の一例を示すフローチャートであり、携帯端末１２０による検索処理並びに入金処理及び領収書・不在票の印刷処理に対応する。なお、Ｓ５０１〜Ｓ５１８は携帯端末１２０によるステップを示し、図３に示したＣＰＵ３１によりＲＯＭ３３，ＳＲＡＭ３８又はその他の記録媒体に格納されたプログラムに基づいて実行される。
【００５５】
また、図６〜図２２は、検索処理並びに入金処理及び領収書・不在票の印刷処理において携帯端末１２０の液晶表示部３５に表示される画面の一例を示す模式図である。
【００５６】
まず、図示しないメニュー画面より検索処理が選択されると、図５のステップＳ５０１において、図６に示す検索選択画面（初期画面）が表示される。
【００５７】
そして、操作者により操作が行われると、ステップＳ５０２において、該操作者による操作情報を判定し、該操作情報をＳＲＡＭ３８，メモリカード３９に記憶する。
【００５８】
そして、この操作情報より、検索開始ボタン（例えば図７に示す検索画面−氏名の検索開始ボタン７０２）が押下されたか（Ｓ５０３）、終了ボタン（図示しないメニュー画面の終了ボタン）が押下されたか（Ｓ５１７）、特定明細（図８に示す検索結果一覧内の特定明細８０１）が選択されたか（Ｓ５０５）、明細選択ボタン（図１１に示す年度別明細選択画面の明細選択ボタン１１０１）が押下されたか（Ｓ５０７）、領収書印刷（図１６に示す入金入力画面の発行ボタン１６０１）が押下されたか（Ｓ５１２）、不在票印刷（図１８に示す不在票出力画面の確定ボタン１８０１）が押下されたか（Ｓ５１４）を判定し、いずれでもないと判定された場合には、操作情報に対応する処理を行い（図示しないステップ）、ステップＳ５０２に戻り、次の操作が行われるまで待機する。
【００５９】
例えば、図６に示す検索選択画面で「氏名」（氏名検索）のボタン６０１が押下されたとすると、ステップＳ５０２において、当該操作情報を判定して記憶し、検索開始ボタン、終了ボタン、特定明細、明細選択ボタン、領収書印刷、不在票印刷のいずれでもないので、ステップＳ５０３，Ｓ５１７，Ｓ５０５，Ｓ５０７，Ｓ５１２，Ｓ５１４のすべてで「ＮＯ」となり、図示しないステップにおいて、図７に示す検索条件入力画面（検索画面−氏名）を表示し、ステップＳ５０２に戻る。なお、図６に示す検索選択画面で「ＴＥＬ」（電話番号検索），「住所」（住所検索），「番号」（滞納者番号検索），「訪問予定日」（訪問予定日検索）のボタン６０２〜６０５が押下された場合は、図示しない検索画面−ＴＥＬ，検索画面−住所，検索画面−番号，検索画面−訪問予定日が表示される。
【００６０】
次に、検索画面のカナ入力ボタンにより検索条件が入力され、検索開始ボタンが押下されると（例えば図７に示した検索画面−氏名画面のカナ入力ボタン７０１が入力され、検索開始ボタン７０２が押下されると）、ステップＳ５０２において、当該操作情報を判定して記憶し、ステップＳ５０３で「ＹＥＳ」となり、ステップＳ５０４に進み、検索処理部１２１が検索条件に対応する対象者（氏名のカナで始まる対象者）を検索し、図８に示すような検索結果一覧を表示する。そして、ステップＳＳ５０５，Ｓ５０７，Ｓ５１２，Ｓ５１４の全てで「ＮＯ」となり、ステップＳ５０２に戻り、次の操作が行われるまで待機する。
【００６１】
次に、図８に示す検索一覧画面で、特定明細８０１が選択されると、ステップＳ５０２において、当該操作情報を判定して記憶し、ステップＳ５０３，Ｓ５１７で「ＮＯ」、ステップＳ５０５で「ＹＥＳ」となり、ステップＳ５０６に進み、図９に示すような明細表示（個人情報画面）を表示する。そして、ステップＳ５０７，Ｓ５１２，Ｓ５１４で「ＮＯ」となり、ステップＳ５０２に戻り、次の操作が行われるまで待機する。
【００６２】
次に、この図９に示すような明細表示（個人情報画面）で「確定」ボタン９０１が押下されると、ステップＳ５０２において、当該操作情報を判定して記憶し、ステップＳ５０３，Ｓ５１７，Ｓ５０５，Ｓ５０７，Ｓ５１２，Ｓ５１４のすべてで「ＮＯ」となり、図示しないステップにおいて、図１０に示す滞納税区分表示画面を表示し、ステップＳ５０２に戻り、次の操作が行われるまで待機する。この滞納税区分表示画面では、図９に示した明細（個人情報）で表示された個人が滞納している税に応じて図１０に示す税区分表示画面が表示される。
【００６３】
次に図１０に示した滞納税区分表示画面で、特定の税区分１００１が選択されると、ステップＳ５０２において、当該操作情報を判定して記憶し、ステップＳ５０３，Ｓ５１７，Ｓ５０５，Ｓ５０７，Ｓ５１２，Ｓ５１４のすべてで「ＮＯ」となり、図示しないステップにおいて、図１１に示す年度別明細選択画面を表示し、ステップＳ５０２に戻り、次の操作が行われるまで待機する。この年度別明細選択画面では、指定された税区分の年度別に、未納額合計と整理番号が表示される。
【００６４】
次に、図１１に示した年度別明細選択画面で、年度別明細のうちの特定の明細が選択されると、ステップＳ５０２において、当該操作情報を判定して記憶し、ステップＳ５０３，Ｓ５１７，Ｓ５０５で「ＮＯ」、ステップＳ５０７で「ＹＥＳ」となり、図示しないステップにおいて、図１２に示す入金可能額入力画面を表示する。
【００６５】
次に、図１２の入金可能額入力画面で、入金可能額が入力され、明細選択ボタン１２０１が押下されると、当該操作情報を記憶し、図示しないステップにおいて、図１３に示す期別明細選択画面を表示する。この期別明細選択画面では、各明細を入金可能額まで選択することができる（この操作情報も記憶する）。そして、各明細に対する入金額が未納額（未納税額＋延滞金額）を満たした場合は、ステップＳ５０８において、全入金（一部入金でない）と判断されて、そのままステップＳ５１１に進む。
【００６６】
そして、ステップＳ５１１において、図１６に示した入金入力画面を表示し、必要事項が入力され、発行ボタン１６０１が押下されると、当該一連の操作情報を記憶し、入金処理を実行し、入金データ１記憶部１２７の入金明細を更新し、該データを入金データ２記憶部１２８にも複写する。そして、ステップＳ５１２，Ｓ５１４で「ＮＯ」となり、ステップＳ５０２に戻り、次の操作が行われるまで待機する。
【００６７】
一方、各明細に対する入金額が未納額（未納税額＋延滞金額）に満たない場合は、ステップＳ５０８において、一部入金と判断されて、図示しないステップにおいて、図１４（ａ）〜（ｄ）に示すような一部入金処理画面が表示され、本税額と延滞金について個別に入金を行うことができる。
【００６８】
なお、図１４（ａ）は本税額のみ全入金され延滞金が一部入金された場合（延滞金一部未納）に対応し、図１４（ｂ）は本税額のみ全入金され延滞金が未入金の場合（延滞金未納）に対応し、図１４（ｃ）は本税額のみ一部入金され延滞金が未入金の場合（本税一部未納，延滞金未納）に対応し、図１４（ｄ）は本税額，延滞金のいずれも未入金（全未納）の場合に対応する。そして、図１４に示した一部入金処理画面で確定ボタン１４０１が押下されると、当該一連の操作情報を記憶し、ステップＳ５０９に進む。
【００６９】
ステップＳ５０９では、図１３に示した期別明細選択画面に戻り、図１５に示すように、期別明細選択画面の数値欄表示変更を行い、一部未納や全額未納の明細の表示形態を変化させる（例えば、背景色を所定の色（橙色等）に変化させる，所定の記号や絵文字を付加する，数値の書体やサイズや文字色を変更する）。
【００７０】
そして、図１３に示した期別明細選択画面の確定ボタン１３０１が押下されると、当該操作情報を記憶し、ステップＳ５１０に進み、図１６に示した入金入力画面を表示し、必要事項が入力され、発行ボタン１６０１が押下されると、当該一連の操作情報を記憶し、一部入金処理を実行し、入金データ１記憶部１２７の入金明細を更新し、該データを入金データ２記憶部１２８にも複写する。そして、ステップＳ５１２，Ｓ５１４で「ＮＯ」となり、ステップＳ５０２に戻り、次の操作が行われるまで待機する。
【００７１】
次に、図１６に示した入金入力画面で発行ボタン（領収書印刷ボタン）が押下されると、ステップＳ５０２において、当該操作情報を判定して記憶し、ステップＳ５０３，Ｓ５１７，Ｓ５０５，５０７で「ＮＯ」、ステップＳ５１２で「ＹＥＳ」となり、印刷処理部１２４の処理により印刷部３７から領収書の発行（印刷）が行われ、図示しないステップにおいて、図１７に示す領収書再印刷確認画面を表示し、ステップＳ５０２の処理に戻り、次の操作が行われるまで待機する。この領収書再印刷確認画面では、領収書の再印刷を行うことができる。
【００７２】
次に、図１７に示した領収書再印刷確認画面で「いいえ」ボタン１７０１（領収書印刷ボタン）が押下されると、ステップＳ５０２において、当該操作情報を判定して記憶し、ステップＳ５０３，Ｓ５１７，Ｓ５０５，５０７で「ＮＯ」、ステップＳ５１２で再度「ＹＥＳ」となり、印刷処理部１２４の処理により印刷部３７から領収書の再発行（再印刷）が行われ、図示しないステップにおいて、再度、図１７に示す領収書再印刷確認画面を表示し、ステップＳ５０２の処理に戻り、次の操作が行われるまで待機する。
【００７３】
また、図１７に示した領収書再印刷確認画面で「はい」ボタン１７０２が押下されると、ステップＳ５０２において、当該操作情報を判定して記憶し、ステップＳ５０３，Ｓ５１７，Ｓ５０５，５０７，Ｓ５１２，Ｓ５１４で「ＮＯ」となり、図示しないステップにおいて、図６に示した検索画面を表示し、ステップＳ５０２の処理に戻り、次の操作が行われるまで待機する。
【００７４】
また、図１０に示した滞納税区分表示画面で、不在ボタン１００２が押下されると、ステップＳ５０２において、当該操作情報を判定して記憶し、ステップＳ５０３，Ｓ５１７，Ｓ５０５，Ｓ５０７，Ｓ５１２，Ｓ５１４で「ＮＯ」となり、図示しないステップにおいて、図１８に示す不在画面を表示し、ステップＳ５０２の処理に戻り、次の操作が行われるまで待機する。この不在画面では、次回訪問要諦の入力と不在票の印刷を行うことができる。
【００７５】
次に、図１８に示した不在画面で、確定ボタン１８０１が押下されると、ステップＳ５０２において、当該操作情報を判定して記憶し、ステップＳ５０３，Ｓ５１７，Ｓ５０５，５０７，Ｓ５１２で「ＮＯ」、ステップＳ５１４で「ＹＥＳ」となり、ステップＳ５１５において、滞納データ更新処理を行い、滞納者データ１記憶部１２５の滞納データを更新し、該データを滞納データ２記憶部１２６にも複写し、印刷処理部１２４の処理により印刷部３７から不在票の発行（印刷）が行われ、図１９に示す不在票印刷確認画面を表示し、ステップＳ５０２の処理に戻り、次の操作が行われるまで待機する。
【００７６】
次に、図１９に示した不在票印刷確認画面で「いいえ」ボタン１９０１（不在票印刷ボタン）が押下されると、ステップＳ５０２において、当該操作情報を判定して記憶し、ステップＳ５０３，Ｓ５１７，Ｓ５０５，５０７，Ｓ５１２で「ＮＯ」、ステップＳ５１４で「ＹＥＳ」となり、滞納データ更新処理を行い、不在票の再発行（再印刷）が行われ、再度、図１９に示す不在票印刷確認画面を表示し、ステップＳ５０２の処理に戻り、次の操作が行われるまで待機する。
【００７７】
また、図１９に示した不在票印刷確認画面で「はい」ボタン１９０２が押下されると、ステップＳ５０２において、当該操作情報を判定して記憶し、ステップＳ５０３，Ｓ５１７，Ｓ５０５，５０７，Ｓ５１２，Ｓ５１４で「ＮＯ」となり、図示しないステップにおいて、図６に示した検索画面を表示し、ステップＳ５０２の処理に戻り、次の操作が行われるまで待機する。
【００７８】
なお、図５のフローチャートには示していないが、図示しないメニュー画面の領収書取消・再印刷ボタンが押下されると、ステップＳ５０２において、当該操作情報を判定して記憶し、図２０に示す領収書取消・再印刷画面を表示し、ステップＳ５０２に戻り、次の操作が行われるまで待機する。
【００７９】
そして、図２０に示した領収書取消・再印刷画面で領収書番号が入力されると、ステップＳ５０２において、当該操作情報を判定して記憶し、図２１に示す取消・再印刷選択画面を表示し、ステップＳ５０２に戻り、次の操作が行われるまで待機する。
【００８０】
そして、図２１に示した取消・再印刷選択画面で取消ボタン２１０１が押下されると、ステップＳ５０２において、当該操作情報を判定して記憶し、印刷処理部１２４の処理により印刷部３７から取消票の印刷を行い、図２２に示す取消票印刷確認画面を表示し、ステップＳ５０２に戻り、次の操作が行われるまで待機する。
【００８１】
次に、図２２に示した取消票印刷確認画面で「いいえ」ボタン２１０１が押下されると、ステップＳ５０２において、当該操作情報を判定して記憶し、ステップＳ５０２で操作情報を判定，記憶し、取消票の再印刷が行われ、再度、図２２に示す取消印刷確認画面を表示し、ステップＳ５０２の処理に戻り、次の操作が行われるまで待機する。
【００８２】
また、図２２に示した取消票印刷確認画面で「はい」ボタン２２０２が押下されると、ステップＳ５０２において、当該操作情報を判定して記憶し、図示しないメニュー画面を表示し、ステップＳ５０２の処理に戻り、次の操作が行われるまで待機する。
【００８３】
また、図２１に示した取消・再印刷選択画面で再印刷ボタン２１０２が押下されると、ステップＳ５０２において、当該操作情報を判定して記憶し、印刷処理部１２４の処理により印刷部３７から領収書の再発行（再印刷）が行われ、図１７に示した領収書再印刷確認画面を表示し、ステップＳ５０２に戻る。
【００８４】
また、図示しないメニュー画面の終了ボタンが押下されると、ステップＳ５０２において、当該操作情報を判定して記憶し、ステップＳ５０３で「ＮＯ」，ステップＳ５１７で「ＹＥＳ」となり、ステップＳ５１８に進み、入金データ１記憶部１２７，入金データ２記憶部１２８の各データ，操作履歴を暗号化し、処理を終了する。なお、この時、入金データ１記憶部１２７に記憶される入金データの全てと，全操作履歴を納税データ管理サーバ１１０に一括して送信（アップロード）するように構成してもよいし、その後、操作者の指示により送信するように構成してもよい。また、納税データ管理サーバ１１０へは、入金データ１記憶部１２７に記憶される入金データのみを全て送信するように構成してもよい。
【００８５】
また、携帯端末１２０は、入金データの納税データ管理サーバ１１０への送信後、納税データ管理サーバ１１０からの受信成功の通知を受けた場合は、当該入金データに基づいて、滞納者データ１記憶部１２５，データを滞納者データ２記憶部１２６内の滞納データを更新するとともに、当該入金データを入金データ１記憶部１２７，入金データ２記憶部１２８からそれぞれ削除するものとする。
【００８６】
以上説明したように、本実施形態では、入金金額の変更や、同一領収書の複数回印刷等特定の操作を行った場合は、操作履歴を記憶するので、訪問徴収時の金銭事故を防止し、不正な操作を行った徴収員を早期に発見することが可能になる。
【００８７】
また、操作履歴を参照，変更，削除するメニューはなく、さらにこの操作履歴は、暗号化されて保存されるので、操作者はこの操作履歴を参照及び改変することができない。
【００８８】
さらに、一部入金の場合、金額数値の表示欄を別の色で表示する（数字の表示色を変えてもよい）ので、一部入金時の金額の入力ミスを減少させることができる。
【００８９】
また、納税者データ，入金データは、暗号化されて本体のメモリ（ＳＲＡＭ３８）と着脱可能なメモリカード３９に二重に記憶するので、機器の故障等によるデータの消失を防止することができるとともに、携帯端末１２０本体及びメモリカード紛失による個人情報や入金データの外部流出を防止することができる。
【００９０】
さらに、メモリカード３９が、処理の途中で取り外そうとした場合には、メモリカード３９内の全データを消去するので、暗号化される前にメモリカードを抜かれてしまうことによる個人情報や入金データの外部流出を防止することができる。なお、ＳＲＡＭ３８及びメモリカード３９内のデータの暗号化を処理の最後で（図５のステップＳ５０２において）行う構成について説明したが、ＳＲＡＭ３８及びメモリカード３９へのデータ書き込み時（図５のステップＳ５０２において）暗号化を行うように構成してもよい。
【００９１】
また、携帯端末１２０は、ユーザＩＤとパスワードを入力しなければ使用できないように構成してもよい。
【００９２】
さらに、携帯端末１２０に対して所定時間操作が行われなかった場合には、携帯端末１２０は、画面表示を消去（又は所定の画面に変更）し、再度、ユーザＩＤとパスワードを入力しなければ使用できないように構成してもよい。
【００９３】
これにより、携帯端末１２０自体を紛失したとしても、携帯端末本体のメモリ３８又はメモリカード３９に格納された個人情報が流出することを防止することができる。
【００９４】
また、携帯端末１２０は、入金データを納税データ管理サーバ１１０に送信した後に受信成功の通知を受けた場合には、該入金データを入金データ１記憶部１２７，入金データ２記憶部１２８をそれぞれ削除するので、メモリ資源を節約することができる。
【００９５】
〔第２実施形態〕
上記第１実施形態では、携帯端末１２０で入力された入金データを、入力時に１件毎に納税データ管理サーバ１１０に送信することなく、処理終了後のバッチ処理により一括して送信する構成について説明したが、入金データを入力時に暗号化して１件毎にリアルタイムに携帯端末１２０から納税データ管理サーバ１１０に送信し、納税データ管理サーバ１１０からの受信成功の通知を受けた後、当該入金データを削除するように構成してもよい。以下、その実施形態について図２３を参照して説明する。
【００９６】
図２３は、本発明の携帯端末を適用可能な情報入力システムにおける第３の制御処理手順の一例を示すフローチャートであり、第２実施形態における携帯端末１２０による検索処理並びに入金処理及び領収書・不在票の印刷処理に対応する。なお、図３に示したＣＰＵ３１によりＲＯＭ３３，ＳＲＡＭ３８又はその他の記録媒体に格納されたプログラムに基づいて実行される。また、Ｓ５０１〜Ｓ５０８，Ｓ５１０，Ｓ６０１，Ｓ５１２〜Ｓ５１８は携帯端末１２０によるステップを示し、図５と同一のステップには同一のステップ番号を付してある。
【００９７】
ステップＳ５１０の一部入金処理、又はステップＳ５１１の入金処理が実行され、入金データ１記憶部１２７の入金明細を更新し、該データを入金データ２記憶部１２８にも複写した後、ステップＳ６０１に進み、入金データ１記憶部１２７，入金データ２記憶部１２８の各データ，操作履歴を暗号化し、該暗号化された各データを納税データ管理サーバ１１０に直ちに（リアルタイムで）送信（アップロード）する。
【００９８】
以上説明したように、入金処理されたＳＲＡＭ３８内の入金データを暗号化してリアルタイムに納税データ管理サーバ１１０に送信し、該メモリ内のデータを削除するので、入金データの改竄を防止し、携帯端末１２０のメモリ（ＳＲＡＭ３８，メモリカード）の資源を節約することができる。
【００９９】
なお、上記第１，２実施形態を合わせ、リアルタイムに納税データ管理サーバ１１０に送信するとともに、メモリ（ＳＲＡＭ３８，メモリカード３９）内にもバックアップとして保存しておくように構成してもよい。
【０１００】
また、上記図４，図５，図２３に示した各フローチャートにおける携帯端末１２０の処理は、単純にブラウザアプリケーションでの構造化言語（ＨＴＭＬ等）による画面の表示を行い、携帯端末１２０から納税データ管理サーバ１１０にイベントを送信することで納税データ管理サーバ１１０側でＣＧＩやサーブレットを用いて各ステップを実現する処理を行うなどの形態でも実現することができる。
【０１０１】
なお、本実施形態では、上述の滞納者データ１記憶部１２５，入金データ１記憶部１２７は携帯端末１２０内のＳＤＲＡＭ３８に記憶されているが、これ以外のメモリ、例えばハードディスク等を備え、ハードディスクに格納されるように構成してもよい。
【０１０２】
また、各実施形態では、納税者データに対応する入金処理を行う訪問徴収システムを例にして説明したが、本発明は、この用途に限定されるものではなく、携帯端末からのデータ入力システムであればどのようなシステムに対しても適用可能であり、管理サーバから受信したデータに基づく携帯端末のデータ入力システム，入金等の重要データの携帯端末による入力システムに適用する場合には特に優れた効果を奏する。
【０１０３】
以上、一実施形態について示したが、本発明は、例えば、システム、装置、方法、プログラムもしくは記録媒体等としての実施態様をとることが可能であり、具体的には、複数の機器から構成されるシステムに適用しても良いし、また、一つの機器からなる装置に適用しても良い。
【０１０４】
以下、図２４に示すメモリマップを参照して本発明に係る携帯端末を適用可能な情報入力システムで読み出し可能なデータ処理プログラムの構成について説明する。
【０１０５】
図２４は、本発明に係る携帯端末を適用可能な情報入力システムで読み出し可能な各種データ処理プログラムを格納する記録媒体（記憶媒体）のメモリマップを説明する図である。
【０１０６】
なお、特に図示しないが、記録媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１０７】
さらに、各種プログラムに従属するデータも上記ディレクトリに管理されている。また、インストールするプログラムやデータが圧縮されている場合に、解凍するプログラム等も記憶される場合もある。
【０１０８】
本実施形態における図４，図５，図２３に示す機能が外部からインストールされるプログラムによって、ホストコンピュータにより遂行されていてもよい。そして、その場合、ＣＤ−ＲＯＭやフラッシュメモリやＦＤ等の記録媒体により、あるいはネットワークを介して外部の記録媒体から、プログラムを含む情報群を出力装置に供給される場合でも本発明は適用されるものである。
【０１０９】
以上のように、前述した実施形態の機能を実現するソフトウエアのプログラムコードを記録した記録媒体を、システムあるいは装置に供給し、そのシステムあるいは装置のコンピュータ（またはＣＰＵやＭＰＵ）が記録媒体に格納されたプログラムコードを読出し実行することによっても、本発明の目的が達成されることは言うまでもない。
【０１１０】
この場合、記録媒体から読み出されたプログラムコード自体が本発明の新規な機能を実現することになり、そのプログラムコードを記憶した記録媒体は本発明を構成することになる。
【０１１１】
プログラムコードを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【０１１２】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１１３】
さらに、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１１４】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウエアによって表されるプログラムを格納した記録媒体を該システムあるいは装置に読み出すことによって、そのシステムあるいは装置が、本発明の効果を享受することが可能となる。
【０１１５】
さらに、本発明を達成するためのソフトウェアによって表されるプログラムをネットワーク上のサーバ，データベース等から通信プログラムによりダウンロードして読み出すことによって、そのシステムあるいは装置が、本発明の効果を享受することが可能となる。
【０１１６】
【発明の効果】
以上説明したように、本発明によれば、第１の記憶手段に記憶される第１のデータに対応する第２のデータを入力し第２の記憶手段に格納し、前記第２のデータの入力操作，変更操作，削除操作を検知し、該操作履歴を暗号化して第３の記憶手段に格納するので、入力変更による事故を防止し、不正な操作を早期に発見することが可能になる。
【０１１７】
さらに、入力された第２の金額データが、対応する第１の金額データに基づく金額の一部であった場合には、前記対応する前記第１の金額データの表示形態を変更するので、一部入金時の金額の入力ミスを減少させることができる。
【０１１８】
また、前記第２の記憶手段は、着脱可能なメモリを含む複数のメモリにより構成され、前記着脱可能なメモリを含む複数のメモリに格納される第２のデータを暗号化するので、着脱可能なメモリの紛失による情報の外部流出を防止することができる。
【０１１９】
さらに、前記第１のデータを管理するサーバ装置から所定の通信媒体を介して前記第１のデータをダウンロードし、前記第２の金額データが入力され前記第２の記憶手段に格納される毎に、前記サーバ装置にリアルタイムでアップロードするので、第２の金額データをリアルタイムに送信して、第２の金額データの改竄を防止するとともに、メモリ資源を節約することができる等の効果を奏する。
【図面の簡単な説明】
【図１】本発明の第１実施形態を示す携帯端末を適用可能な情報入力システムの構成を示すシステム構成図である。
【図２】図１に示した納税データ管理サーバのハードウェア構成を示すブロック図である。
【図３】図１に示した携帯端末のハードウェア構成を示すブロック図である。
【図４】本発明の携帯端末を適用可能な情報入力システムにおける第１の制御処理手順の一例を示すフローチャートである。
【図５】本発明の携帯端末を適用可能な情報入力システムにおける第２の制御処理手順の一例を示すフローチャートである。
【図６】本発明の携帯端末における検索処理並びに入金処理及び領収書・不在票の印刷処理において携帯端末の液晶表示部に表示される画面（検索選択画面）の一例を示す模式図である。
【図７】本発明の携帯端末における検索処理並びに入金処理及び領収書・不在票の印刷処理において携帯端末の液晶表示部に表示される画面（氏名検索画面）の一例を示す模式図である。
【図８】本発明の携帯端末における検索処理並びに入金処理及び領収書・不在票の印刷処理において携帯端末の液晶表示部に表示される画面（特定明細選択画面）の一例を示す模式図である。
【図９】本発明の携帯端末における検索処理並びに入金処理及び領収書・不在票の印刷処理において携帯端末の液晶表示部に表示される画面（個人情報明細画面）の一例を示す模式図である。
【図１０】本発明の携帯端末における検索処理並びに入金処理及び領収書・不在票の印刷処理において携帯端末の液晶表示部に表示される画面（滞納税区分表示画面）の一例を示す模式図である。
【図１１】本発明の携帯端末における検索処理並びに入金処理及び領収書・不在票の印刷処理において携帯端末の液晶表示部に表示される画面（年度別明細選択画面）の一例を示す模式図である。
【図１２】本発明の携帯端末における検索処理並びに入金処理及び領収書・不在票の印刷処理において携帯端末の液晶表示部に表示される画面（入金可能額入力画面）の一例を示す模式図である。
【図１３】本発明の携帯端末における検索処理並びに入金処理及び領収書・不在票の印刷処理において携帯端末の液晶表示部に表示される画面（期別明細選択画面）の一例を示す模式図である。
【図１４】本発明の携帯端末における検索処理並びに入金処理及び領収書・不在票の印刷処理において携帯端末の液晶表示部に表示される画面（一部入金処理画面）の一例を示す模式図である。
【図１５】本発明の携帯端末における検索処理並びに入金処理及び領収書・不在票の印刷処理において携帯端末の液晶表示部に表示される画面（期別明細選択画面の表示変更例）の一例を示す模式図である。
【図１６】本発明の携帯端末における検索処理並びに入金処理及び領収書・不在票の印刷処理において携帯端末の液晶表示部に表示される画面（入金処理画面）の一例を示す模式図である。
【図１７】本発明の携帯端末における検索処理並びに入金処理及び領収書・不在票の印刷処理において携帯端末の液晶表示部に表示される画面（領収書再印刷確認画面）の一例を示す模式図である。
【図１８】本発明の携帯端末における検索処理並びに入金処理及び領収書・不在票の印刷処理において携帯端末の液晶表示部に表示される画面（不在票出力画面）の一例を示す模式図である。
【図１９】本発明の携帯端末における検索処理並びに入金処理及び領収書・不在票の印刷処理において携帯端末の液晶表示部に表示される画面（不在票印刷確認画面）の一例を示す模式図である。
【図２０】本発明の携帯端末における検索処理並びに入金処理及び領収書・不在票の印刷処理において携帯端末の液晶表示部に表示される画面（領収書取消・再印刷画面）の一例を示す模式図である。
【図２１】本発明の携帯端末における検索処理並びに入金処理及び領収書・不在票の印刷処理において携帯端末の液晶表示部に表示される画面（取消・再印刷選択画面）の一例を示す模式図である。
【図２２】本発明の携帯端末における検索処理並びに入金処理及び領収書・不在票の印刷処理において携帯端末の液晶表示部に表示される画面（取消・再印刷確認画面）の一例を示す模式図である。
【図２３】本発明の携帯端末を適用可能な情報入力システムにおける第３の制御処理手順の一例を示すフローチャートである。
【図２４】本発明に係る携帯端末を適用可能な情報入力システムで読み出し可能な各種データ処理プログラムを格納する記録媒体（記憶媒体）のメモリマップを説明する図である。
【符号の説明】
１００  通信回線
１１０  納税データ管理サーバ
１２０  携帯端末
１２５  滞納者データ１記憶部
１２６  滞納者データ２記憶部
１２７  入金データ１記憶部
１２８  入金データ２記憶部
３１  ＣＰＵ
３２  ＲＡＭ
３３  ＲＯＭ
３７  印刷部
３８  ＳＲＡＭ
３９  メモリカード（着脱式）
【図１】
2005050038.tif 000003
【図２】
2005050038.tif 000004
【図３】
2005050038.tif 000005
【図４】
2005050038.tif 000006
【図５】
2005050038.tif 000007
【図６】
2005050038.tif 000008
【図７】
2005050038.tif 000009
【図８】
2005050038.tif 000010
【図９】
2005050038.tif 000011
【図１０】
2005050038.tif 000012
【図１１】
2005050038.tif 000013
【図１２】
2005050038.tif 000014
【図１３】
2005050038.tif 000015
【図１４】
2005050038.tif 000016
【図１５】
2005050038.tif 000017
【図１６】
2005050038.tif 000018
【図１７】
2005050038.tif 000019
【図１８】
2005050038.tif 000020
【図１９】
2005050038.tif 000021
【図２０】
2005050038.tif 000022
【図２１】
2005050038.tif 000023
【図２２】
2005050038.tif 000024
【図２３】
2005050038.tif 000025
【図２４】
2005050038.tif 000026